(57)【要約】【課題】  監視システムの機能を拡張し、他の用途にも使用でき、そのため、費用負担を軽減できるような監視システムを提供する。【解決手段】  照明装置を道路足元照明に使用し、更には、広告サービス機能を盛り込むことで一般者への夜聞通行に対して配慮しつつ、広告サービスによる収入を獲得するものである。また、デザインポールを採用することでその街中や環境にあった照明装置として機能させる防犯灯を備えるポール監視システム。【選択図】  図１
2006186715.tif 000002
【特許請求の範囲】
【請求項１】
街頭緊急システムや子供緊急通報システム、あるいは一般の公共施設等に設置される監視システムにおいて、防犯灯ポールを有し、上記防犯灯ポールは、下部に広告表示手段を備えることを特徴とする監視システム。
【請求項２】
街頭緊急システムや子供緊急通報システム、あるいは一般の公共施設等に設置される監視システムにおいて、防犯灯ポールを有し、上記防犯灯ポールは、下部に足元を照らす照明装置を備え、路面または地面を照らすことを特徴とする監視システム。
【請求項３】
請求項２記載の監視システムにおいて、上記照明装置は、広告表示手段を有し、上記広告表示手段が表示する広告を路面または地面に映し出すことを特徴とする監視システム。
【請求項４】
請求項１乃至請求項３のいずれか１つに記載の監視システムにおいて、上記広告表示手段は着脱可能であることを特徴とする監視システム。
【請求項５】
請求項１乃至請求項３のいずれか１つに記載の監視システムにおいて、上記広告表示手段は、通報ボタンが押された時は、監視センタとの通信表示に切替わることを特徴とする監視システム。
【発明の詳細な説明】
【技術分野】
【０００１】
本発明は、街頭緊急システムや子供緊急通報システム、あるいは一般の公共施設等に設置される監視システムに関わる。
【背景技術】
【０００２】
従来、歩道や公園等に設置される防犯灯等の街頭緊急システムや子供緊急通報システム、あるいは監視システムでは、防犯灯ポールに照明装置を設けていた（例えば、特許文献１参照。）。しかし、防犯灯ポールの照明装置は、あくまで通報者の画像を撮像装置で撮影するための夜間照明装置としての機能であり、その照明装置も、通常は、防犯灯ポール（例えば、高さ 8 m ）の最上部に取付けていた。また、防犯灯ポールの照明は、基本的には、夜間の照明装置としての機能しかなかった。
【０００３】
ここで、防犯灯ポールとは、例えば、特許文献１の図１、段落 0015 等に記載のように、街頭緊急システムや子供緊急通報システム、あるいは監視システム等において、歩道等に設置された複数の防犯灯ポールと監視センタとそれらをネットワーク等の通信手段で結合したシステムでの緊急通報に使用する装置である。防犯灯ポールには、一般的に、一般通行者が、事故や犯罪等に遭遇した場合、その緊急事態を監視センタ側に伝えるための通報ボタン、監視センタ側と音声通話するためのマイクとスピーカ、テレビ電話、防犯灯ポールの通報者とその周辺を撮像する撮像装置、撮像装置が夜間でも撮像できるように設置された照明装置、及び、非常ベル等の、通報があったことを周辺に知らせるための警報装置が備えられている。一方、監視センタ側は、複数の防犯灯ポールからの通報に対して、場所の特定や、音声通話、防犯灯ポールから伝送される映像を表示するモニタ、必要な連絡や通報をするための通信手段、テレビ電話、等が備えられている。
【０００４】
また、街頭緊急システムや子供緊急通報システム等の監視システムは、地方の自治体や警察が設置を許可し、維持管理を専門の管理団体に委託して行っている。防犯灯ポールの設置や維持管理の費用は、設置を希望して上記のような地方の自治体や警察に自治会の会長名で依頼し、それらの費用を負担することが一般的である。防犯灯ポールの設置の費用や、照明器具等の修理交換、あるいは電気料や通話料、土地使用料等の維持管理費や管理団体への委託費用等、相当の費用を自治会等が負担する必要があり、地方公共団体等は、防犯灯等の監視システムの普及に力を入れてはいるが、費用の面でなかなか普及が進んでいない。
【特許文献１】特開２００３−３１７１７６号公報
【発明の開示】
【発明が解決しようとする課題】
【０００５】
従来の防犯灯設備等の監視システムでの照明装置は、監視カメラ用の夜間照明としての機能しか持ち合わせていなかった。また、監視システムの購入、設置、及び維持管理費は、周辺の自治会等が負担していたため、必要な場所全てに設置するためには限界があった。
本発明の目的は、監視システムの機能を拡張し、他の用途にも使用でき、そのため、費用負担を軽減できるような監視システムを提供することにある。
【課題を解決するための手段】
【０００６】
上記の目的を達成するため、本発明の監視システムの防犯灯ポールは、その照明装置を道路足元照明に使用し、更には、広告サービス機能を盛り込むことで一般者への夜聞通行に対して配慮しつつ、広告サービスによる収入を獲得するものである。また、デザインポールを採用することでその街中や環境にあった照明装置として機能させることができる。
【０００７】
即ち、本発明の監視システムは、街頭緊急システムや子供緊急通報システム、あるいは一般の公共施設等に設置される監視システムにおいて、防犯灯ポールを有し、防犯灯ポールは、下部に広告表示手段を備える。
また、本発明の監視システムは好ましくは、街頭緊急システムや子供緊急通報システム、あるいは一般の公共施設等に設置される監視システムにおいて、防犯灯ポールを有し、防犯灯ポールは、下部に足元を照らす照明装置を備え、路面または地面を照らすものである。
【０００８】
また、本発明の監視システムは好ましくは、街頭緊急システムや子供緊急通報システム、あるいは一般の公共施設等に設置される監視システムにおいて、防犯灯ポールを有し、防犯灯ポールの照明装置は、広告表示手段を有し、広告表示手段が表示する広告を路面または地面に映し出すものである。
また、本発明の監視システムは好ましくは、街頭緊急システムや子供緊急通報システム、あるいは一般の公共施設等に設置される監視システムにおいて、防犯灯ポールの広告表示手段は着脱可能である。
また、本発明の監視システムは好ましくは、街頭緊急システムや子供緊急通報システム、あるいは一般の公共施設等に設置される監視システムにおいて、防犯灯ポールの通報ボタンが押された時は、監視センタとの通信表示に切替わるものである。
【発明の効果】
【０００９】
本発明の防犯灯ポールでは、照明装置をカメラポールに限らず各種ポールに対応可能なものとし、道路の路面足元照明として使用すると同時に広告サービス機能を盛り込み別途収入を得ることで防犯設備としての通常のランニングコストを大きく低減させることが可能となる。
また、自営回線のみを使用したシステムでは広告サービスが純粋に利益に繋がる。
一般者への夜間通行に対する安全性と広告サービスによる収入を得て収入源とする防犯システムまたは監視カメラシステムといえる。
【発明を実施するための最良の形態】
【００１０】
本発明の監視システムでの防犯灯ポールの照明装置は、従来監視カメラ用の夜間照明としての機能しか持ち合わせていなかった照明装置を、道路や公園の足元照明に使用し、更には、照明装置の代わりに広告表示装置を採用し、通常時は広告を表示しながら照明装置としての機能も兼ねて一般者への夜聞通行に対して配慮しつつ、広告サービスによる収入を得る。
また、デザインポールを採用することによって、街中や周囲環境にあった照明装置のデザインで装飾したまたは形状を持たせ、街路や背景等と調和した美的感覚の優れた監視システムとする。
【００１１】
このため、防犯灯ポールの撮像装置や照明装置を取付ける場所は、ポールの上部ではなく、路面に近い位置に照明装置を設ける。その照明点灯部分には広告パネルを挟み込むことができるような構造を設けておき、必要に応じて広告パネルを交換できるものとする。
また、別の実施例としては、ライトアップによる広告表示機能を持った照明装置をポール内部に設けておき、広告パネルだけでなく任意の位置にライトアップ広告を表示することが可能なものとする。
尚、広告パネルを取付けるポールは、ポールが、照明装置用と撮像装置用と別々のものである場合に、照明用ポールに限らずカメラポールにも取付け可能とする。
【００１２】
また本発明の一実施例の防犯灯ポールは、撮像装置を設置するポール等に、道路足元照明として設けた照明装置を、広告サービスとしても使用可能なものとする特殊な照明を設けたものである。
本発明の一実施例を図１によって説明する。図１は、本発明の一実施例の防犯灯ポールの構成を説明するための図である。1 はカメラポールや照明ポール等の防犯灯設備等の監視カメラ設備に使用されるポール本体、2 は足元照明装置、3 は照明窓兼広告掲示窓、4 はライトアップ照明装置、5 は撮像装置、6 は警報器、7 は夜間照明装置、8 は操作パネルである。
【００１３】
図１において、ポール本体 1 は、足元照明装置 2 を組込む。この図１では、操作パネル 8 には、本発明の主要部ではないので省略しているが、通報ボタン、マイク、スピーカ、テレビ電話等を操作する機能を有する。その他、操作通信手段、設置場所背景部分、等、防犯灯ポールに必要な他の機能部分は、本発明の主要部ではないので省略する。
【００１４】
足元照明装置 2 は、ポール本体 1 に組み込み、夜間、道路等防犯灯ポールの周辺部の足元を照らす足元灯照明となる。
また、照明窓兼広告掲示窓 3 は、通常時は、広告掲示窓として広告を表示し、通報ボタンが押された時以降、または、監視センタ側の制御等によって、照明窓に切替わり撮像装置の照明装置として機能する。
【００１５】
また、別の実施例では、照明窓兼広告掲示窓 3 は、通常時は、広告掲示窓として広告を表示し、通報ボタンが押された時以降、または、監視センタ側の制御等によって、監視センタ側のコンタクト者の表情や手話が交換できる大きさの映像が表示されるか、または、通報者の表情や手話が交換できる大きさの映像が表示される。
監視センタ側のコンタクト者と通報者との表示の切替えは、任意にどちら側でも切替え可能なボタン等の切替え装置を具備している。
【００１６】
また、広告表示時においても、広告のための音声が小さく出力されている場合があるが、時々あるいは所定時間間隔で、例えば、“私は‥‥‥街、‥‥‥通り、‥‥‥番の防犯灯です。”等、ここに防犯灯が設置されていることを音声で知らせることもできる。これによって、視覚障害者でも容易に防犯灯の設置場所がわかる。また、操作パネル 8 には、視覚障害者のために点字の説明文を表示しても良い。
【００１７】
また、通報者を表示することは、撮像装置に写されていることが通報者にも分かり、監視センタ側に見られていることで、いたずら通報を防ぎ、かつ、通報者とコンタクト者を表示することは、安心感と、聾唖者の場合のコンタクト手段としても有効である。通報者の肖像を撮像する撮像装置は、防犯灯ポールの専用の撮像装置とは、別に設けても良いし、同じ撮像装置をパン、チルト、またはズームアップして用いても良い。
【００１８】
本発明のまた別の実施例では、照明窓兼広告掲示窓 3 は、足元照明装置 2 の照明を内部から光ファイバー等によって分岐して、広告パネルをライトアップさせる。これによって照明装置の節約が可能となる。
【００１９】
図２は、本発明の他の実施例を説明するための図である。図２は、ポール本体 1′の略断面図で、上部は省略している。
図２において、ポール本体 1′内部に、照明装置 2″と足元照明装置 2′を実装し、それぞれの窓 20 と 21 とを介して、外部に広告表示部 3′と 3″とを取付けている。
【００２０】
図２のように、照明装置 2″と足元照明装置 2′の前面に、それぞれ開けられた窓で広告表示部 3′と 3″とを取付け、着脱可能なものとする。
照明装置 2″または足元照明装置 2′が点灯することで、対応する広告表示部もライトアップされる。
また同時に、足元広告表示部 3″では、足元照明の窓としても使用する。このように、図２の実施例では、足元照明とは別にライトアップできる照明装置 2″を有している。即ち、路面上に広告を照射し、路面上に広告が浮き出たせることができる。また、広告表示またはただの照明時には、スポットライト的に路面の一部が照らし出される。
【００２１】
以上で述べた広告の表示を、広告表示を希望する団体（例えば、企業、商店、組合、等）に有料で提供することで、防犯灯等の街頭緊急システムや子供緊急通報システム、あるいは監視システムの購入、維持、管理費用に充当することができる。あるいは、広告を無償で提供することの代償として、防犯灯等の街頭緊急システムや子供緊急通報システム、あるいは監視システムの購入、維持、管理を広告を必要とする団体（また広告業者でも良い。）に使用を許可することができる。
このため、防犯灯等の街頭緊急システムや子供緊急通報システム、あるいは監視システムの設置を許可できる自治体は、使用許可伺い書に、広告提供の場合の上記条件を明記し、契約を行うことにより自治会等の負担する費用を軽減させることができる。また、防犯灯ポールの製作要件として、街や周囲の美観や調和を考えた設計をそれら伺い書または契約条項に明記することによって、防犯灯ポールについても特別限定する必要は無く現場の状況に合わせたデザインポール等に対応可能なものとする。
このように上述の実施例によれば、照明装置を有効活用することで防犯灯設備の初期費用やランニングコストを抑えていくことができる。
【００２２】
本発明では照明装置を各種防犯灯ポールに対応可能なものとし、道路の路面足元照明として使用すると同時に広告サービス機能を盛り込み別途収入を得ることで防犯システムとしての通常のランニングコストを大きく低減させることが可能となる。
また、自営回線のみを使用したシステムでは広告サービスが純粋に利益に繋がる。
また、足元照明を行うことで、一般者への夜間通行に対する安全性の配慮も有し、広告サービスによる費用の削減を合せ持った監視システムである。
【図面の簡単な説明】
【００２３】
【図１】本発明の一実施例の防犯灯ポールの構成を説明するための図。
【図２】本発明の他の実施例を説明するための図。
【符号の説明】
【００２４】
1，1′：ポール本体、  2，2′：足元照明装置、  2″：照明装置、  3：照明窓兼広告表示窓、  3′，3″：広告表示部、  20，21：窓、  5：撮像装置、  6：警報器、  7：照明装置、  8：操作パネル。
【図１】
2006186715.tif 000003
【図２】
2006186715.tif 000004